(57)【特許請求の範囲】
【請求項１】
ハウジングと、
前記ハウジングの内側に設置された固定接点を備えた固定接点部材と、
前記ハウジングの内側に設置された可動部を備えた可動接点部材と、
前記固定接点部材及び前記可動接点部材の上方に設けられ、前記ハウジングに対し上下に動くスライダと、
前記ハウジングと前記スライダとの間に設置され、前記ハウジングから前記スライダが離れる方向に復元力を有する弾性部材と、
を有し、
前記ハウジングと前記スライダとの間には、前記スライダの一部と接触しており、前記スライダが動くことにより可動する可動部材が設けられており、
前記スライダを前記ハウジング側に押すことにより、前記スライダと接触している可動部材が動き、前記固定接点と前記可動部とが接触している状態と、前記固定接点と前記可動部とが離れている状態と、の間で切り替わり、
前記スライダには第１のカム部が設けられており、
前記可動部材には第２のカム部が設けられており、
前記スライダを前記ハウジング側に押すと、前記スライダの第１のカム部が前記可動部材の第２のカム部に対して動き、前記可動部材が可動することを特徴とするプッシュスイッチ。
【請求項２】
前記可動部材は筒状に形成された円筒部を有しており、
前記第２のカム部は前記円筒部の外側に設けられており、
前記スライダを前記ハウジング側に押すと、前記可動部材は前記スライダを押す方向を軸に回転することを特徴とする請求項１に記載のプッシュスイッチ。
【請求項３】
前記円筒部の外側には、突起部が設けられており、
前記スライダが押されていない状態では、前記可動接点部材の可動部は、前記突起部により押されて、前記固定接点部材の固定接点と離れた状態にあり、
前記スライダを前記ハウジング側に押すことにより、前記突起部が前記固定接点から離れる方向に前記可動部材が動き、前記可動接点部材の弾性により前記固定接点と前記可動部とが接触することを特徴とする請求項２に記載のプッシュスイッチ。
【請求項４】
前記可動部材には、第３のカム部が設けられており、
前記第３のカム部は、前記スライダを前記ハウジング側に押すことにより、前記スライダの前記第１のカム部と接触し、前記可動部材を可動することを特徴とする請求項１から３のいずれかに記載のプッシュスイッチ。
【請求項５】
前記第１のカム部は、２つ設けられており、
前記第２のカム部は、前記第１のカム部に対応し、２つ設けられていることを特徴とする請求項１から４のいずれかに記載のプッシュスイッチ。
【請求項６】
前記スライダは、透明または半透明の材料により形成されていることを特徴とする請求項１から５のいずれかに記載のプッシュスイッチ。
【請求項７】
前記スライダ及び前記可動部材は、ともに樹脂材料により形成されていることを特徴とする請求項１から６のいずれかに記載のプッシュスイッチ。
【請求項８】
前記ハウジングは、内側に発光素子が設置可能に形成されていることを特徴とする請求項１から７のいずれかに記載のプッシュスイッチ。
【請求項９】
前記スライダの前記ハウジング側には柱状のガイド部が設けられており、
前記ハウジングには、前記ガイド部が入る開口部が設けられており、
前記開口部には前記ガイド部が挿通され、前記ハウジングに対し前記スライダが上下方向に動作可能に保持されていることを特徴とする請求項１から８のいずれかに記載のプッシュスイッチ。
【請求項１０】
前記スライダと前記ハウジングとの間には、リンク機構部が設けられており、
リンク機構部のパンタグラフ機構により、前記ハウジングに対し前記スライダが上下方向に動作可能に保持されていることを特徴とする請求項１から８のいずれかに記載のプッシュスイッチ。
【請求項１１】
ハウジングと、
前記ハウジングの内側に設置された固定接点を備えた固定接点部材と、
前記ハウジングの内側に設置された可動部を備えた可動接点部材と、
前記固定接点部材及び前記可動接点部材の上方に設けられ、前記ハウジングに対し上下に動くスライダと、
前記ハウジングと前記スライダとの間に設置され、前記ハウジングから前記スライダが離れる方向に復元力を有する弾性部材と、
を有し、
前記ハウジングと前記スライダとの間には、前記スライダの一部と接触しており、前記スライダが動くことにより可動する可動部材が設けられており、
前記スライダを前記ハウジング側に押すことにより、前記スライダと接触している可動部材が動き、前記固定接点と前記可動部とが接触している状態と、前記固定接点と前記可動部とが離れている状態と、の間で切り替わり、
前記スライダには第１のカム部が設けられており、
前記可動部材には第２のカム部が設けられており、
前記スライダを前記ハウジング側に押すと、前記スライダの第１のカム部が前記可動部材の第２のカム部に対して動き、前記可動部材が可動し、
前記可動部材は筒状に形成された円筒部を有しており、
前記固定接点部材及び前記可動接点部材が、前記円筒部の径方向外側に設けられたことを特徴とするプッシュスイッチ。
【発明の詳細な説明】
【技術分野】
【０００１】  本発明は、プッシュスイッチに関するものである。
【背景技術】
【０００２】  情報機器等の入力装置としては、キートップを押すことにより情報入力等が可能なキーボードが用いられており、このようなキーボード等の中には、プッシュスイッチを用いたものがある。このようなプッシュスイッチでは、例えば、キートップ、プランジャ本体部、可動接点、固定接点等が設けられているものが開示されている（例えば、特許文献１）。プランジャ本体部はキートップの下に設けられており、キートップ等が押されていない状態では、プランジャ本体部のカム部と可動接点プレートの可動接点とが接触しており、可動接点プレートには可動接点を固定接点の側に向かって押す方向に復元力が生じている。このようなプッシュスイッチのキートップ等を下に押すと、キートップ等により押されてプランジャ本体部が下に動き、これに伴い可動接点と接触していたプランジャ本体部のカム部も下に動き、可動接点プレートが可動可能な状態となる。これにより、可動接点プレートの復元力により可動接点が動き固定接点と接触しスイッチがオンとなる。また、キートップを押していた力がなくなると、バネ等の復元力により、キートップが上にあがり元の状態に戻る。
【先行技術文献】
【特許文献】
【０００３】
【特許文献１】特開２０１５−１７３０８５号公報
【特許文献２】特開２００６−１９１３１号公報
【発明の概要】
【発明が解決しようとする課題】
【０００４】  ところで、上記のようなプッシュスイッチは、可動接点及び固定接点は、金属材料により形成されており、プランジャー部等は樹脂材料により形成されている。キートップ等が押されていない状態では、可動接点プレートには可動接点をプランジャ本体部のカム部に向かって押す方向に復元力が生じている。このため、キートップ等を押すと、比較的軟らかい樹脂材料等により形成されているプランジャ本体部のカム部は、比較的硬い金属により形成されている可動接点と接触した状態のまま下に向かって動く。可動接点プレートによる復元力により押されている状態のまま下に動くため、何回もキートップ等を押下すると、プランジャ本体部のカム部が可動接点により擦られ、すり減るため、キートップ等を押す操作感触に変化が生じ、キートップ等を押しているユーザが違和感を感じる場合がある。また、キートップ等を押す頻度が極めて高い場合には、プランジャ本体部のカム部のすり減りが顕著となり、スイッチとしての機能が失われる場合がある。特に、ゲーム機器等に用いられるスイッチでは、プッシュスイッチを押す頻度が極めて高く、また、使用しているユーザもキートップ等を押す操作感触の変化に敏感である。【０００５】  このため、操作感触が変化することのないプッシュスイッチが求められている。
【課題を解決するための手段】
【０００６】  本実施の形態の一観点によれば、ハウジングと、前記ハウジングの内側に設置された固定接点を備えた固定接点部材と、前記ハウジングの内側に設置された可動部を備えた可動接点部材と、前記固定接点部材及び前記可動接点部材の上方に設けられ、前記ハウジングに対し上下に動くスライダと、前記ハウジングと前記スライダとの間に設置され、前記ハウジングから前記スライダが離れる方向に復元力を有する弾性部材と、を有し、前記ハウジングと前記スライダとの間には、前記スライダの一部と接触しており、前記スライダが動くことにより可動する可動部材が設けられており、前記スライダを前記ハウジング側に押すことにより、前記スライダと接触している可動部材が動き、前記固定接点と前記可動部とが接触している状態から離れる、または、前記固定接点と前記可動部とが離れている状態から接触することを特徴とする。
【発明の効果】
【０００７】  開示のプッシュスイッチによれば、操作感触が変化することのないプッシュスイッチを提供することができる。
【図面の簡単な説明】
【０００８】
【図１】第１の実施の形態におけるプッシュスイッチの分解斜視図
【図２】第１の実施の形態におけるプッシュスイッチ（オフ状態）の上面側の外観斜視図
【図３】第１の実施の形態におけるプッシュスイッチ（オン状態）の上面側の外観斜視図
【図４】第１の実施の形態におけるプッシュスイッチのスライダの斜視図（１）
【図５】第１の実施の形態におけるプッシュスイッチのスライダの斜視図（２）
【図６】プッシュスイッチの可動部材の斜視図（１）
【図７】プッシュスイッチの可動部材の斜視図（２）
【図８】プッシュスイッチの固定接点部材の斜視図
【図９】プッシュスイッチの可動接点部材の斜視図
【図１０】第１の実施の形態におけるプッシュスイッチのハウジングの斜視図
【図１１】第１の実施の形態におけるプッシュスイッチの内部構造の説明図（１）
【図１２】第１の実施の形態におけるプッシュスイッチの内部構造の説明図（２）
【図１３】第１の実施の形態におけるプッシュスイッチの底面側の外観斜視図
【図１４】第１の実施の形態におけるプッシュスイッチ（オフ状態）の断面図（１）
【図１５】第１の実施の形態におけるプッシュスイッチ（オフ状態）の断面図（２）
【図１６】第１の実施の形態におけるプッシュスイッチのオフ状態の説明図（１）
【図１７】第１の実施の形態におけるプッシュスイッチのオフ状態の説明図（２）
【図１８】第１の実施の形態におけるプッシュスイッチのオン状態の説明図（１）
【図１９】第１の実施の形態におけるプッシュスイッチのオン状態の説明図（２）
【図２０】発光素子を有する第１の実施の形態におけるプッシュスイッチの説明図
【図２１】第２の実施の形態におけるプッシュスイッチの分解斜視図
【図２２】第２の実施の形態におけるプッシュスイッチ（オフ状態）の上面側の外観斜視図
【図２３】第２の実施の形態におけるプッシュスイッチのスライダの斜視図（１）
【図２４】第２の実施の形態におけるプッシュスイッチのスライダの斜視図（２）
【図２５】第２の実施の形態におけるプッシュスイッチのハウジングの斜視図
【図２６】第２の実施の形態におけるプッシュスイッチのリンク機構部の斜視図（１）
【図２７】第２の実施の形態におけるプッシュスイッチのリンク機構部の斜視図（２）
【図２８】第２の実施の形態におけるプッシュスイッチの説明図（１）
【図２９】第２の実施の形態におけるプッシュスイッチの説明図（２）
【図３０】第２の実施の形態におけるプッシュスイッチの説明図（３）
【発明を実施するための形態】
【０００９】  実施するための形態について、以下に説明する。尚、同じ部材等については、同一の符号を付して説明を省略する。尚、本願においては、Ｘ１−Ｘ２方向、Ｙ１−Ｙ２方向、Ｚ１−Ｚ２方向を相互に直交する方向とする。また、Ｘ１−Ｘ２方向及びＹ１−Ｙ２方向を含む面をＸＹ面と記載し、Ｙ１−Ｙ２方向及びＺ１−Ｚ２方向を含む面をＹＺ面と記載し、Ｚ１−Ｚ２方向及びＸ１−Ｘ２方向を含む面をＺＸ面と記載する。
【００１０】  〔第１の実施の形態〕  第１の実施の形態におけるプッシュスイッチは、図１から図３に示されるように、スライダ１０、コイルバネ３０、可動部材４０、固定接点部材５０、可動接点部材６０、ハウジング７０、板バネ８０等を有している。尚、図１は本実施の形態におけるプッシュスイッチの分解斜視図である。また、図２は本実施の形態におけるプッシュスイッチが押されていない状態の斜視図であり、図３は押された状態の斜視図である。図２に示されるように、このプッシュスイッチは、プッシュスイッチが押されていない状態では、長さＬが約１０．６５ｍｍ、幅Ｗが約１２．５ｍｍ、高さＨが約７．２ｍｍとなるように形成されている。
【００１１】  スライダ１０は、ＰＯＭ（ポリアセタール：polyacetal）等の透明または半透明な樹脂材料により形成されている。スライダ１０は、上から見た形状が略四角形となるように形成されており、上面側より押されるため、上面は略平らでＸＹ面と平行となっており、スライダ１０の上面には透明または半透明なシート２０が被せられている。
【００１２】  図４及び図５に示されるように、スライダ１０の内側となる底面側には、中心部分にＺ２方向に延びる円筒状の筒部１１と、４隅の近傍にはＺ２方向に延びる円柱状のガイド部１３が各々設けられており、周囲はＺ２方向に延びる壁部１２により囲まれている。また、スライダ１０の底面側には、２つの第１のカム部１４が設けられている。２つの第１のカム部１４は、２つの第１のカム部１４の間に、筒部１１が挟まれた状態となるように、対向する位置に設けられている。また、スライダ１０の壁部１２の内側には、ハウジング７０と分離しないようにハウジング７０と接続するためのフック１５が設けられている。
【００１３】  コイルバネ３０は、ステンレス等により形成されており、スライダ１０とハウジング７０との間に入れられている。コイルバネ３０は、押されたスライダ１０を元の状態に戻す機能を有しており、本願においては、コイルバネ３０を弾性部材と記載する場合がある。
【００１４】  可動部材４０は、ＰＯＭ等の樹脂材料により形成されている。図６及び図７に示されるように、可動部材４０は、中心部に開口部４１ａが形成された円筒部４１が設けられており、円筒部４１の周囲には、外側に出っ張った突起部４２、円筒部４１の外側においてＺ１側に設けられた２つの第２のカム部４３、Ｚ２側に設けられた２つの第３のカム部４４等が形成されている。２つの第２のカム部４３、及び、２つの第３のカム部４４は、スライダ１０に設けられた２つの第１のカム部１４に対応して設けられており、円筒部４１の周囲において互いに反対側、即ち、互いに１８０°の位置となるように形成されている。第２のカム部４３にはＺ１−Ｚ２方向と平行な垂直面４３ａと、Ｚ２側に傾斜している傾斜面４３ｂが形成されており、第３のカム部４４には、Ｚ１側に傾斜している傾斜面４４ａが形成されている。
【００１５】  固定接点部材５０は、黄銅等の導電性を有する金属材料により形成されており、図８に示されるように、中央部に開口部５１が形成されており、周囲にはＺ２方向に曲げられた固定接点部５２と、２つの固定接点端子５３が設けられている。固定接点部５２には、固定接点５２ａが形成されている。固定接点端子５３の近傍には、固定接点部材５０をハウジング７０に固定するための折り曲げ部５４が両側に設けられている。
【００１６】  可動接点部材６０は、リン青銅等により形成されており、表面には金メッキが施されている。可動接点部材６０は、図９に示すように、Ｙ１−Ｙ２方向が長手方向となる可動ばね部６１と可動接点端子６５とを有している。可動ばね部６１はＵ字状に折り曲げられており、支持部６２、屈曲部６３、可動部６４により形成されている。可動接点端子６５は、可動ばね部６１の支持部６２からＺ２方向に延びるように形成されている。各々の可動接点端子６５の近傍には、可動接点部材６０をハウジング７０に固定するための折り曲げ部６６が両側に設けられている。
【００１７】  ハウジング７０は、図１０に示すように、内側の中心部分にはＺ１方向に延びる円筒状の筒状部７１が設けられており、４隅には、スライダ１０のガイド部１３が入る開口穴７２が各々設けられている。また、筒状部７１の周囲には、可動接点部材６０が設置される可動接点部材設置領域７３と、板バネ８０が設置される板バネ設置領域７４が設けられている。ハウジング７０の外側の４つの壁面には、凹部７５が形成されており、凹部７５のＺ１方向側の端には、引っ掛け部７６が各々形成されている。
【００１８】  板バネ８０は、スライダ１０を下に押した際にクリック音を発生させるために設けられている。
【００１９】  本実施の形態におけるプッシュスイッチは、図１１に示すように、ハウジング７０の内側の可動接点部材設置領域７３に可動接点部材６０が入れられており、板バネ設置領域７４に板バネ８０が入れられている。可動接点部材設置領域７３は、可動部６４がハウジング７０の筒状部７１の側となるように設置されており、可動接点端子６５はハウジング７０の外に出ている。
【００２０】  また、図１２に示すように、ハウジング７０の上には、コイルバネ３０及び可動部材４０が設置されている。この状態では、ハウジング７０の筒状部７１は、巻回されたコイルバネ３０の中に入っており、可動部材４０の開口部４１ａの中には、コイルバネ３０及びハウジング７０の筒状部７１が入っている。
【００２１】  また、図示はされてはいないが、可動部材４０の上には固定接点部材５０が設置されており、更に、これらの上にはスライダ１０が被せられている。尚、この状態においては、固定接点部材５０の開口部５１にはコイルバネ３０が入っている。
【００２２】  図１３に示されるように、本実施の形態におけるプッシュスイッチは、固定接点部材５０に設けられた２つの固定接点端子５３と各々の固定接点端子５３の近傍に設けられた折り曲げ部５４は、ハウジング７０の外側に出ており、折り曲げ部５４を折り曲げることにより、固定接点部材５０はハウジング７０に固定されている。同様に、可動接点部材６０に設けられた可動接点端子６５と可動接点端子６５の近傍に設けられた折り曲げ部６６は、ハウジング７０の外側に出ており、折り曲げ部６６を折り曲げることにより、可動接点部材６０はハウジング７０に固定されている。
【００２３】  また、図１４は、本実施の形態におけるプッシュスイッチをＹＺ面で切断した断面図であり、図１５は、ＸＹ面で切断した断面図である。図１４及び図１５に示されるように、スライダ１０は、スライダ１０の筒部１１の一部が、ハウジング７０の筒状部７１の中に入っており、スライダ１０に設けられた各々のガイド部１３の一部はハウジング７０の開口穴７２の中に入っている。また、スライダ１０が押されていない状態では、ハウジング７０の引っ掛け部７６に、スライダ１０のフック１５が引っ掛かっており、スライダ１０が下に押されると、スライダ１０は下に動き、これに伴いフック１５はハウジング７０の外側の壁面の凹部７５内に沿って移動する。尚、スライダ１０を押している力がなくなると、コイルバネ３０の復元力により、スライダ１０は上に動き元の状態に戻るが、ハウジング７０の凹部７５の上側の端には引っ掛け部７６が設けられており、スライダ１０のフック１５が、ハウジング７０の引っ掛け部７６に引っ掛かるため、ハウジング７０からスライダ１０が外れることはない。
【００２４】  次に、本実施の形態におけるプッシュスイッチの機構及び動作について説明する。図１６は、本実施の形態におけるプッシュスイッチのスライダ１０が下に押される前の状態のＺＸ面で切断した断面図であり、図１７は、ＸＹ面で切断した断面図である。また、図１８は、本実施の形態におけるプッシュスイッチのスライダ１０が下に押された状態のＺＸ面で切断した断面図であり、図１９は、ＸＹ面で切断した断面図である。
【００２５】  本実施の形態におけるプッシュスイッチのスライダ１０が下に押される前では、図１７に示されるように、ハウジング７０に設置されている可動接点部材６０の可動部６４は、可動部材４０の突起部４２により押されており、可動接点部材６０の可動部６４と、固定接点部材５０の固定接点部５２の固定接点５２ａとが離れているため、スイッチはオフとなっている。この状態では、可動接点部材６０には、可動部６４が固定接点部５２に向かう方向に復元力が働いており、これにより、スライダ１０の第１のカム部１４の垂直面１４ａと可動部材４０の第２のカム部４３の垂直面４３ａとが接触している。即ち、可動接点部材６０の復元力により、可動部材４０の突起部４２が押され、可動部材４０には、図１６においては右側、図１７においては反時計回りに動こうとする力が働いているが、スライダ１０の第１のカム部１４の垂直面１４ａと可動部材４０の第２のカム部４３の垂直面４３ａとが接触しているため、可動部材４０は図１６においては右側、図１７においては反時計回りに動くことができない状態にある。
【００２６】  次に、本実施の形態におけるプッシュスイッチのスライダ１０を下に押すと、図１８に示されるように、スライダ１０は、下方向であるＺ２方向に動く。これに伴いスライダ１０に設けられている第１のカム部１４も下に動き、図１８に示されるように、可動部材４０の第２のカム部４３の垂直面４３ａの下に、スライダ１０の第１のカム部１４の垂直面１４ａが移動する。これにより、可動接点部材６０の復元力により、可動部材４０の突起部４２が押され、可動部材４０は、図１８において右側、図１９においては反時計回りに動く。即ち、可動接点部材６０の復元力により、可動部材４０の突起部４２は、固定接点部材５０の固定接点部５２から離れる方向に回転し、可動接点部材６０の可動部６４と、固定接点部材５０の固定接点部５２の固定接点５２ａとが接触するため、スイッチはオンとなる。この際、コイルバネ３０は縮むため復元力が大きくなる。尚、本実施の形態においては、可動部材４０は、スライダ１０が押されるＺ１−Ｚ２方向を軸に回転する。従って、可動部材４０の回転する方向は、ＸＹ面と平行な面であり、スライダ１０が押されるＺ１−Ｚ２方向と直交している。
【００２７】  また、可動接点部材６０の復元力だけでは、可動部材４０を十分に動かすことができない場合には、スライダ１０の第１のカム部１４に設けられた傾斜面１４ｂが可動部材４０の第３のカム部４４の傾斜面４４ａと接触し、第３のカム部４４を押す。これにより、可動部材４０は、図１８において右側、図１９においては反時計回りに動かすことができる。
【００２８】  スライダ１０を押していた力がなくなると、コイルバネ３０の復元力により、スライダ１０が上に持ちあげられる。これにより、スライダ１０の第１のカム部１４の傾斜面１４ｃと可動部材４０の第２のカム部４３の傾斜面４３ｂとが接触し、更に、コイルバネ３０の復元力により、スライダ１０は上に動くため、可動部材４０は、図１８において左側、図１９においては時計回りに動く。従って、可動接点部材６０の可動部６４は、可動部材４０の突起部４２により押され、可動接点部材６０の可動部６４と、固定接点部材５０の固定接点部５２の固定接点５２ａとが離れ、スイッチはオフとなる。
【００２９】  本実施の形態においては、スイッチのオンオフは、樹脂材料により形成されている可動部材４０の突起部４２が、金属により形成されている可動接点部材６０の可動部６４を押しているか否かにより切り換えられる。このため、樹脂材料により形成されている可動部材４０の突起部４２が擦られてすり減ること等はない。よって、スライダ１０を押す操作感触に変化が生じることはなく、キートップ等を操作しているユーザに違和感等を与えることはない。
【００３０】  また、本実施の形態においては、スライダ１０の第１のカム部１４と、可動部材４０の第２のカム部４３との間で接触している状態で動くが、ともに比較的軟らかい樹脂材料により形成されているため、どちらか一方が削られて、する減ること等は殆どない。よって、操作感触に違和感を感じることはなく、また、信頼性も高い。
【００３１】  また、本実施の形態においては、図２０に示されるように、ハウジング７０は、内側に発光素子９０が設置可能に形成されており、ハウジング７０における筒状部７１の内部の空間に、ＬＥＤ等の発光素子９０を設置したものであってもよい。このように、筒状部７１の内部の空間に、ＬＥＤ等の発光素子９０を設置することにより、透明または半透明な材料により形成されているスライダ１０を透過させ、プッシュスイッチの上面側を光らせることができる。
【００３２】  尚、本実施の形態においては、可動部材４０は、ハウジング７０の円筒状の筒状部７１を中心に回転動作するものについて説明したが、可動部材４０は、スライド動作するものであってもよい。
【００３３】  〔第２の実施の形態〕  第２の実施の形態におけるプッシュスイッチは、図２１及び図２２に示されるように、スライダ１１０、コイルバネ３０、可動部材４０、固定接点部材５０、可動接点部材６０、ハウジング１７０、板バネ８０、リンク機構部１９０等を有している。尚、図２１は本実施の形態におけるプッシュスイッチの分解斜視図である。また、図２２は本実施の形態におけるプッシュスイッチが押されていない状態の斜視図である。図２２に示されるように、このプッシュスイッチは、プッシュスイッチが押されていない状態では、長さＬが約１２．６５ｍｍ、幅Ｗが約１２．６ｍｍ、高さＨが約６．４ｍｍとなるように形成されている。
【００３４】  スライダ１１０は、ＰＯＭ等の透明または半透明な樹脂材料により形成されている。スライダ１１０は、上から見た形状が略四角形となるように形成されており、上面側より押されるため、上面は略平らでＸＹ面と平行となっており、スライダ１１０の上面には透明または半透明なシート１２０が被せられている。
【００３５】  図２３及び図２４に示されるように、スライダ１１０の内側となる底面側には、第１の実施の形態におけるスライダ１０とは異なり、ガイド部１３は設けられてはいないが、４隅の各々には、リンク支持部１１６が設けられている。具体的には、スライダ１１０のＹ１側にはＸ１側の端とＸ２側の端にリンク支持部１１６が設けられており、スライダ１１０のＹ２側にはＸ１側の端とＸ２側の端にリンク支持部１１６が設けられている。リンク支持部１１６には、リンク機構部１９０の一部が入る支持穴１１６ａが設けられている。尚、図２３と図２４は、異なる方向から見たスライダ１１０の斜視図である。
【００３６】  ハウジング１７０は、図２５に示すように、第１の実施の形態におけるハウジング７０とは異なり、開口穴７２は設けられていないが、Ｘ１方向側の端及びＸ２方向側の端の各々には、リンク支持部１７７が設けられている。リンク支持部１７７には、リンク機構部１９０の一部が入る溝部１７７ａ及び支持穴１７７ｂが設けられている。
【００３７】  リンク機構部１９０は、パンタグラフ機構であり、図２６及び図２７に示されるように、第１のリンク部１９１と第２のリンク部１９２とにより形成されている。尚、図２６と図２７は、異なる方向から見たリンク機構部１９０の斜視図である。
【００３８】  第１のリンク部１９１は、２つの腕部１９１ａ、１９１ｂと、腕部１９１ａの一方の端部と腕部１９１ｂの一方の端部とを接続する接続部１９１ｃとにより形成されており、コの字状となっている。従って、接続部１９１ｃはＸ１−Ｘ２方向に延びるように形成されており、接続部１９１ｃのＸ１側の端にはＹＺ面と略平行な腕部１９１ａが形成されており、接続部１９１ｃのＸ２側の端にはＹＺ面と略平行な腕部１９１ｂが形成されている。よって、腕部１９１ａと腕部１９１ｂは略平行となっている。
【００３９】  腕部１９１ａの他方の端部には、接続穴部１９１ｄが設けられており、腕部１９１ａのＸ１側の面には、Ｘ１側に凸となる第１の突起部１９１ｆ、第２の突起部１９１ｈが設けられている。第２の突起部１９１ｈは腕部１９１ａの一方の端部の近傍に設けられており、第１の突起部１９１ｆは、接続穴部１９１ｄと第２の突起部１９１ｈとの中間よりも、接続穴部１９１ｄ側に設けられている。
【００４０】  腕部１９１ｂの他方の端部には、接続穴部１９１ｅが設けられており、腕部１９１ｂのＸ２側の面には、Ｘ２側に凸となる第１の突起部１９１ｇ、第２の突起部１９１ｉが設けられている。第２の突起部１９１ｉは腕部１９１ｂの一方の端部の近傍に設けられており、第１の突起部１９１ｇは、接続穴部１９１ｅと第２の突起部１９１ｉとの中間よりも、接続穴部１９１ｅ側に設けられている。
【００４１】  第２のリンク部１９２は、２つの腕部１９２ａ、１９２ｂと、腕部１９２ａの一方の端部と腕部１９２ｂの一方の端部とを接続する接続部１９２ｃとにより形成されており、コの字状となっている。従って、接続部１９２ｃはＸ１−Ｘ２方向に延びるように形成されており、接続部１９２ｃのＸ１側の端にはＹＺ面と略平行な腕部１９２ａが形成されており、接続部１９２ｃのＸ２側の端にはＹＺ面と略平行な腕部１９２ｂが形成されている。よって、腕部１９２ａと腕部１９２ｂは略平行となっている。
【００４２】  腕部１９２ａのＸ１側の面には、Ｘ１側に凸となる接続突起部１９２ｄ、第１の突起部１９２ｆ、第２の突起部１９２ｈが設けられている。接続突起部１９２ｄは、腕部１９２ａの他方の端部の近傍に設けられており、第２の突起部１９２ｈは腕部１９２ａの一方の端部の近傍に設けられており、第１の突起部１９２ｆは、接続突起部１９２ｄと第２の突起部１９２ｈとの中間よりも、接続突起部１９２ｄ側に設けられている。
【００４３】  腕部１９２ｂのＸ２側の面には、Ｘ２側に凸となる接続突起部１９２ｅ、第１の突起部１９２ｇ、第２の突起部１９２ｉが設けられている。接続突起部１９２ｅは、腕部１９２ｂの他方の端部の近傍に設けられており、第２の突起部１９２ｉは腕部１９２ｂの一方の端部の近傍に設けられており、第１の突起部１９２ｇは、接続突起部１９２ｅと第２の突起部１９２ｉとの中間よりも、接続突起部１９２ｅ側に設けられている。
【００４４】  本実施の形態においては、第１のリンク部１９１の腕部１９１ａの接続穴部１９１ｄの穴の中に第２のリンク部１９２の腕部１９２ａの接続突起部１９２ｄが入り、第１のリンク部１９１の腕部１９１ｂの接続穴部１９１ｅの穴の中に第２のリンク部１９２の腕部１９２ｂの接続突起部１９２ｅが入っており、第１のリンク部１９１と第２のリンク部１９２とは回動可能な状態で接続され、リンク機構部１９０が形成されている。
【００４５】  本実施の形態においては、図２８から図３０に示されるように、第１のリンク部１９１と第２のリンク部１９２とが回動可能な状態で接続されたリンク機構部１９０により、スライダ１１０とハウジング１７０とが接続されている。尚、図２８はハウジング１７０にリンク機構部１９０が入れられている状態を示しており、図２９は本実施の形態におけるプッシュスイッチをＸ１側から見た図であり、図３０はＸ２側から見た図である。
【００４６】  具体的には、ハウジング１７０のＸ１側のリンク支持部１７７の溝部１７７ａには、第１のリンク部１９１の腕部１９１ａ及び第２のリンク部１９２の腕部１９２ａの一部が入り込んでおり、Ｘ１側のリンク支持部１７７の支持穴１７７ｂには、第１のリンク部１９１の腕部１９１ａの接続穴部１９１ｄ及び第２のリンク部１９２の腕部１９２ａの接続突起部１９２ｄ、腕部１９１ａの第１の突起部１９１ｆ及び腕部１９２ａの第１の突起部１９２ｆが入り込んでいる。
【００４７】  Ｘ１側のリンク支持部１７７の支持穴１７７ｂにおいては、第１のリンク部１９１の接続穴部１９１ｄ及び第２のリンク部１９２の接続突起部１９２ｄはＺ１−Ｚ２方向に動くことができ、腕部１９１ａの第１の突起部１９１ｆ及び腕部１９２ａの第１の突起部１９２ｆは、Ｙ１−Ｙ２方向に動くことができる。
【００４８】  同様に、ハウジング１７０のＸ２側のリンク支持部１７７の溝部１７７ａには、第１のリンク部１９１の腕部１９１ｂ及び第２のリンク部１９２の腕部１９２ｂの一部が入り込んでおり、Ｘ２側のリンク支持部１７７の支持穴１７７ｂには、第１のリンク部１９１の腕部１９１ｂの接続穴部１９１ｅ及び第２のリンク部１９２の腕部１９２ｂの接続突起部１９２ｅ、腕部１９１ｂの第１の突起部１９１ｇ及び腕部１９２ｂの第１の突起部１９２ｇが入り込んでいる。
【００４９】  Ｘ２側のリンク支持部１７７の支持穴１７７ｂにおいては、第１のリンク部１９１の接続穴部１９１ｅ及び第２のリンク部１９２の接続突起部１９２ｅはＺ１−Ｚ２方向に動くことができ、腕部１９１ａの第１の突起部１９１ｇ及び腕部１９２ａの第１の突起部１９２ｇは、Ｙ１−Ｙ２方向に動くことができる。
【００５０】  また、スライダ１１０のＹ１側においては、Ｘ１側の端に設けられたリンク支持部１１６の支持穴１１６ａには、第１のリンク部１９１の第２の突起部１９１ｈが入っており、Ｘ２側の端に設けられたリンク支持部１１６の支持穴１１６ａには、第１のリンク部１９１の第２の突起部１９１ｉが入っている。スライダ１１０のＹ２側においては、Ｘ１側の端に設けられたリンク支持部１１６の支持穴１１６ａには、第２のリンク部１９２の第２の突起部１９２ｈが入っており、Ｘ２側の端に設けられたリンク支持部１１６の支持穴１１６ａには、第２のリンク部１９２の第２の突起部１９２ｉが入っている。
【００５１】  第２の突起部１９１ｈ、第２の突起部１９１ｉ、第２の突起部１９２ｈ、第２の突起部１９２ｉは、対応するリンク支持部１１６の支持穴１１６ａ内において、Ｙ１−Ｙ２方向に移動可能である。
【００５２】  本実施の形態においては、スライダ１１０がシート１２０を介し、破線矢印Ａに示すように、Ｚ２方向に向かって押されると、スライダ１１０はＺ２方向に動く。これに伴い、リンク機構部１９０は、第１のリンク部１９１と第２のリンク部１９２とが開くように回動し、第１のリンク部１９１の接続穴部１９１ｄ及び第２のリンク部１９２の接続突起部１９２ｄ、第１のリンク部１９１の接続穴部１９１ｅ及び第２のリンク部１９２の接続突起部１９２ｅは、リンク支持部１７７の支持穴１７７ｂ内を破線矢印Ｂに示される方向、即ち、Ｚ１方向に動く。
【００５３】  これに伴い、第１のリンク部１９１の第１の突起部１９１ｆ、１９１ｇは、リンク支持部１７７の支持穴１７７ｂ内を破線矢印Ｃに示される方向、即ち、Ｙ２方向に動く。また。第２のリンク部１９２の第１の突起部１９２ｆ、１９２ｇは、リンク支持部１７７の支持穴１７７ｂ内を破線矢印Ｄに示される方向、即ち、Ｙ１方向に動く。また、第１のリンク部１９１の第２の突起部１９１ｈ、１９１ｉは、リンク支持部１１６の支持穴１１６ａ内を破線矢印Ｅに示される方向、即ち、Ｙ１方向に動く。また、第２のリンク部１９２の第２の突起部１９２ｈ、１９２ｉは、リンク支持部１１６の支持穴１１６ａ内を破線矢印Ｆに示される方向、即ち、Ｙ２方向に動く。
【００５４】  これにより、スライダ１１０はＺ２方向に動く。本実施の形態においては、リンク機構部１９０の第２の突起部１９１ｈ、第２の突起部１９１ｉ、第２の突起部１９２ｈ、第２の突起部１９２ｉは、スライダ１１０の４隅に設けられたリンク支持部１１６において支持されている。このため、スライダ１１０の上面の隅を押しても、スライダ１１０全体がＺ２方向に動くことができ、片押しが生じることを防ぐことができる。
【００５５】  以上、実施の形態について詳述したが、特定の実施形態に限定されるものではなく、特許請求の範囲に記載された範囲内において、種々の変形及び変更が可能である。
【００５６】  尚、本国際出願は、２０１７年１月２４日に出願した日本国特許出願第２０１７−０１０７３０号に基づく優先権を主張するものであり、その出願の全内容は本国際出願に援用する。
【符号の説明】
【００５７】１０        スライダ１１        筒部１２        壁部１３        ガイド部１４        第１のカム部１４ａ      垂直面１４ｂ      傾斜面１４ｃ      傾斜面１５        フック２０        シート３０        コイルバネ４０        可動部材４１        円筒部４１ａ      開口部４２        突起部４３        第２のカム部４３ａ      垂直面４３ｂ      傾斜面４４        第３のカム部４４ａ      傾斜面５０        固定接点部材５１        開口部５２        固定接点部５２ａ      固定接点５３        固定接点端子５４        折り曲げ部６０        可動接点部材６１        可動ばね部６２        支持部６３        屈曲部６４        可動部６５        可動接点端子６６        折り曲げ部７０        ハウジング７１        筒状部７２        開口穴７３        可動接点部材設置領域７４        板バネ設置領域７５        凹部８０        板バネ
【図１】
0006778282.tif 000002
【図２】
0006778282.tif 000003
【図３】
0006778282.tif 000004
【図４】
0006778282.tif 000005
【図５】
0006778282.tif 000006
【図６】
0006778282.tif 000007
【図７】
0006778282.tif 000008
【図８】
0006778282.tif 000009
【図９】
0006778282.tif 000010
【図１０】
0006778282.tif 000011
【図１１】
0006778282.tif 000012
【図１２】
0006778282.tif 000013
【図１３】
0006778282.tif 000014
【図１４】
0006778282.tif 000015
【図１５】
0006778282.tif 000016
【図１６】
0006778282.tif 000017
【図１７】
0006778282.tif 000018
【図１８】
0006778282.tif 000019
【図１９】
0006778282.tif 000020
【図２０】
0006778282.tif 000021
【図２１】
0006778282.tif 000022
【図２２】
0006778282.tif 000023
【図２３】
0006778282.tif 000024
【図２４】
0006778282.tif 000025
【図２５】
0006778282.tif 000026
【図２６】
0006778282.tif 000027
【図２７】
0006778282.tif 000028
【図２８】
0006778282.tif 000029
【図２９】
0006778282.tif 000030
【図３０】
0006778282.tif 000031